(57)【要約】      （修正有）【課題】正確な名刺の管理を迅速かつ容易に行うことができる名刺管理システム、携帯端末装置、制御方法、及び、制御プログラムを提供する。【解決手段】携帯端末装置は、名刺保持部材及びコード表示部材を撮像可能な撮像部と、名刺保持部材及びコード表示部材に関する情報を記憶する記憶部と、制御部と、を備え、制御部は、少なくとも１つの名刺を保持した状態の名刺保持部材の画像及び分類コードが表示されたコード表示部材の画像の両者を含む撮像画像情報を取得し、撮像画像情報から分類コードを認識して分類情報を取得すると共に、各名刺の名刺画像情報をそれぞれ抽出し、取得した分類情報と、抽出した各名刺画像情報とを関連付けて記憶部に記憶する。【選択図】図７
2014002439.tif 000002
【特許請求の範囲】
【請求項１】
それぞれ少なくとも１つの名刺を保持可能な複数の名刺保持部材と、
固有の分類情報を有する分類コードがそれぞれ表示された複数のコード表示部材と、
前記名刺保持部材及び前記コード表示部材に関する情報を処理する携帯端末装置と、を備え、
前記携帯端末装置は、前記名刺保持部材及び前記コード表示部材を撮像可能な撮像部と、前記名刺保持部材及び前記コード表示部材に関する情報を記憶する記憶部と、制御部と、を備え、
前記制御部は、
少なくとも１つの前記名刺を保持した状態の前記名刺保持部材の画像及び前記分類コードが表示された前記コード表示部材の画像の両者を含む撮像画像情報を取得し、
前記撮像画像情報から前記分類コードを認識して分類情報を取得すると共に、各前記名刺の名刺画像情報をそれぞれ抽出し、
取得した前記分類情報と、抽出した各前記名刺画像情報とを関連付けて前記記憶部に記憶する、名刺管理システム。
【請求項２】
前記制御部は、
各前記名刺画像情報から各前記名刺の特徴を示す特徴情報をそれぞれ取得し、
新たに抽出した前記名刺画像情報から取得した前記特徴情報と、前記記憶部に既に記憶されている前記名刺画像情報から取得した前記特徴情報とを対比する、請求項１に記載の名刺管理システム。
【請求項３】
前記制御部は、抽出した各前記名刺画像情報を回転させる、請求項１又は２に記載の名刺管理システム。
【請求項４】
それぞれ少なくとも１つの名刺を保持可能な複数の名刺保持部材、及び、固有の分類情報を有する分類コードがそれぞれ表示された複数のコード表示部材、に関する情報を処理する携帯端末装置であって、
前記名刺保持部材及び前記コード表示部材を撮像可能な撮像部と、前記名刺保持部材及び前記コード表示部材に関する情報を記憶する記憶部と、制御部と、を備え、
前記制御部は、
少なくとも１つの前記名刺を保持した状態の前記名刺保持部材の画像及び前記分類コードが表示された前記コード表示部材の画像の両者を含む撮像画像情報を取得し、
前記撮像画像情報から前記分類コードを認識して分類情報を取得すると共に、各前記名刺の名刺画像情報をそれぞれ抽出し、
取得した前記分類情報と、抽出した各前記名刺画像情報とを関連付けて前記記憶部に記憶する、携帯端末装置。
【請求項５】
それぞれ少なくとも１つの名刺を保持可能な複数の名刺保持部材と、固有の分類情報を有する分類コードがそれぞれ表示された複数のコード表示部材と、前記名刺保持部材及び前記コード表示部材に関する情報を処理する携帯端末装置と、を備える名刺管理システムを制御する制御方法であって、
前記携帯端末装置は、前記名刺保持部材及び前記コード表示部材を撮像可能な撮像部と、前記名刺保持部材及び前記コード表示部材に関する情報を記憶する記憶部と、制御部と、を備え、
前記制御部が、
少なくとも１つの前記名刺を保持した状態の前記名刺保持部材の画像及び前記分類コードが表示された前記コード表示部材の画像の両者を含む撮像画像情報を取得するステップと、
前記撮像画像情報から前記分類コードを認識して分類情報を取得すると共に、各前記名刺の名刺画像情報をそれぞれ抽出するステップと、
取得した前記分類情報と、抽出した各前記名刺画像情報とを関連付けて前記記憶部に記憶するステップと、を実行する制御方法。
【請求項６】
それぞれ少なくとも１つの名刺を保持可能な複数の名刺保持部材と、固有の分類情報を有する分類コードがそれぞれ表示された複数のコード表示部材と、前記名刺保持部材及び前記コード表示部材に関する情報を処理する携帯端末装置と、を備える名刺管理システムを制御する制御プログラムであって、
前記携帯端末装置は、前記名刺保持部材及び前記コード表示部材を撮像可能な撮像部と、前記名刺保持部材及び前記コード表示部材に関する情報を記憶する記憶部と、制御部と、を備え、
前記制御部に、
少なくとも１つの前記名刺を保持した状態の前記名刺保持部材の画像及び前記分類コードが表示された前記コード表示部材の画像の両者を含む撮像画像情報を取得するステップと、
前記撮像画像情報から前記分類コードを認識して分類情報を取得すると共に、各前記名刺の名刺画像情報をそれぞれ抽出するステップと、
取得した前記分類情報と、抽出した各前記名刺画像情報とを関連付けて前記記憶部に記憶するステップと、を実行させる制御プログラム。
【発明の詳細な説明】
【技術分野】
【０００１】
本発明は、名刺を管理する名刺管理システムに関する。また、この名刺管理システムのための携帯端末装置、制御方法、及び、制御プログラムに関する。
【背景技術】
【０００２】
一般的に、複数の名刺を管理するときは、公知の名刺入れ（カードホルダー）に複数の名刺を収容し、名刺入れを開くことによりユーザーがいつでも名刺を見ることができるようにして管理している（例えば特許文献１参照）。また、複数の名刺を名刺入れに収容するときは、名刺に記載された名前の頭文字によって各名刺を分類して収容している。例えば、名刺にサ行の頭文字の名前が記載されているときはサ行のグループに分類し、或いは、ハ行の頭文字の名前が記載されているときはハ行のグループに分類し、グループごとにまとめて名刺入れに収容している。
【先行技術文献】
【特許文献】
【０００３】
【特許文献１】特開２０１１−２４０６７７号公報
【発明の概要】
【発明が解決しようとする課題】
【０００４】
しかしながら、上記のような名刺入れでは、名刺の数が増えると、名刺入れの中から見たい名刺を探すのが困難になったり、名刺を収容するスペースが無くなったりすることがあった。また、名刺の数が増えると名刺入れを持ち運ぶことも煩わしくなっていた。したがって、このような場合のために、名刺を電子化して保存しておくことが望まれていたが、複数の名刺を名刺入れに収容したまま効率良く電子化して保存できるシステムが従来は存在していなかった。
【０００５】
本発明は、上記問題を解決するためになされたものであって、正確な名刺の管理を迅速かつ容易に行うことができる名刺管理システム、携帯端末装置、制御方法、及び、制御プログラムの提供を目的とする。
【課題を解決するための手段】
【０００６】
本発明は、上記課題を解決するための名刺管理システムであって、それぞれ少なくとも１つの名刺を保持可能な複数の名刺保持部材と、固有の分類情報を有する分類コードがそれぞれ表示された複数のコード表示部材と、前記名刺保持部材及び前記コード表示部材に関する情報を処理する携帯端末装置と、を備え、前記携帯端末装置は、前記名刺保持部材及び前記コード表示部材を撮像可能な撮像部と、前記名刺保持部材及び前記コード表示部材に関する情報を記憶する記憶部と、制御部と、を備え、前記制御部は、少なくとも１つの前記名刺を保持した状態の前記名刺保持部材の画像及び前記分類コードが表示された前記コード表示部材の画像の両者を含む撮像画像情報を取得し、前記撮像画像情報から前記分類コードを認識して分類情報を取得すると共に、各前記名刺の名刺画像情報をそれぞれ抽出し、取得した前記分類情報と、抽出した各前記名刺画像情報とを関連付けて前記記憶部に記憶する、名刺管理システムである。
【０００７】
このような構成によれば、名刺保持部材及びコード表示部材を含む撮像画像情報を取得し、撮像画像情報から分類コードの分類情報を取得すると共に、名刺の名刺画像情報を抽出し、分類情報と名刺画像情報とを関連付けて記憶部に登録することにより、複数の名刺画像情報を迅速かつ容易に記憶部に登録することができる。また、名刺画像情報を分類情報と関連付けて登録するので、名刺画像情報を正確に管理することができる。また、名刺画像情報と共に分類情報も取得するので、名刺画像情報の管理を迅速にすることができる。よって、本発明によれば、正確な名刺の管理を迅速かつ容易に行うことができる。
【０００８】
また、上記名刺管理システムにおいて、前記制御部は、各前記名刺画像情報から各前記名刺の特徴を示す特徴情報をそれぞれ取得し、新たに抽出した前記名刺画像情報から取得した前記特徴情報と、前記記憶部に既に記憶されている前記名刺画像情報から取得した前記特徴情報とを対比することが好ましい。
【０００９】
また、前記制御部は、抽出した各前記名刺画像情報を回転させることが好ましい。
【００１０】
あるいは、本発明は、上記課題を解決するためになされたものであり、それぞれ少なくとも１つの名刺を保持可能な複数の名刺保持部材、及び、固有の分類情報を有する分類コードがそれぞれ表示された複数のコード表示部材、に関する情報を処理する携帯端末装置であって、前記名刺保持部材及び前記コード表示部材を撮像可能な撮像部と、前記名刺保持部材及び前記コード表示部材に関する情報を記憶する記憶部と、制御部と、を備え、前記制御部は、少なくとも１つの前記名刺を保持した状態の前記名刺保持部材の画像及び前記分類コードが表示された前記コード表示部材の画像の両者を含む撮像画像情報を取得し、前記撮像画像情報から前記分類コードを認識して分類情報を取得すると共に、各前記名刺の名刺画像情報をそれぞれ抽出し、取得した前記分類情報と、抽出した各前記名刺画像情報とを関連付けて前記記憶部に記憶する、携帯端末装置であってもよい。
【００１１】
あるいは、本発明は、上記課題を解決するためになされたものであり、それぞれ少なくとも１つの名刺を保持可能な複数の名刺保持部材と、固有の分類情報を有する分類コードがそれぞれ表示された複数のコード表示部材と、前記名刺保持部材及び前記コード表示部材に関する情報を処理する携帯端末装置と、を備える名刺管理システムを制御する制御方法であって、前記携帯端末装置は、前記名刺保持部材及び前記コード表示部材を撮像可能な撮像部と、前記名刺保持部材及び前記コード表示部材に関する情報を記憶する記憶部と、制御部と、を備え、前記制御部が、少なくとも１つの前記名刺を保持した状態の前記名刺保持部材の画像及び前記分類コードが表示された前記コード表示部材の画像の両者を含む撮像画像情報を取得するステップと、前記撮像画像情報から前記分類コードを認識して分類情報を取得すると共に、各前記名刺の名刺画像情報をそれぞれ抽出するステップと、取得した前記分類情報と、抽出した各前記名刺画像情報とを関連付けて前記記憶部に記憶するステップと、を実行する制御方法であってもよい。
【００１２】
あるいは、本発明は、上記課題を解決するためになされたものであり、それぞれ少なくとも１つの名刺を保持可能な複数の名刺保持部材と、固有の分類情報を有する分類コードがそれぞれ表示された複数のコード表示部材と、前記名刺保持部材及び前記コード表示部材に関する情報を処理する携帯端末装置と、を備える名刺管理システムを制御する制御プログラムであって、前記携帯端末装置は、前記名刺保持部材及び前記コード表示部材を撮像可能な撮像部と、前記名刺保持部材及び前記コード表示部材に関する情報を記憶する記憶部と、制御部と、を備え、前記制御部に、少なくとも１つの前記名刺を保持した状態の前記名刺保持部材の画像及び前記分類コードが表示された前記コード表示部材の画像の両者を含む撮像画像情報を取得するステップと、前記撮像画像情報から前記分類コードを認識して分類情報を取得すると共に、各前記名刺の名刺画像情報をそれぞれ抽出するステップと、取得した前記分類情報と、抽出した各前記名刺画像情報とを関連付けて前記記憶部に記憶するステップと、を実行させる制御プログラムであってもよい。
【発明の効果】
【００１３】
本発明の名刺管理システム、携帯端末装置、制御方法、及び、制御プログラムによれば、正確な名刺の管理を迅速かつ容易に行うことができる。
【図面の簡単な説明】
【００１４】
【図１】本発明の一実施形態に係る名刺管理システムの概略構成図であり、（ａ）は名刺入れの斜視図であり、（ｂ）は携帯端末装置の正面図であり、（ｃ）は携帯端末装置の裏面図である。
【図２】名刺入れの見開き図である。
【図３】名刺保持部材の正面図である。
【図４】コード表示部材の正面図である。
【図５】名刺入れの他の見開き状態を示す見開き図である。
【図６】携帯端末装置のブロック図である。
【図７】名刺管理システムの制御方法のフローチャートである。
【図８】名刺管理システムの制御方法の詳細なフローチャートである。
【図９】名刺管理システムの制御方法の詳細なフローチャートである。
【図１０】撮像画像情報を示す図である。
【図１１】記憶部に記憶される記憶テーブルの一例を示す図である。
【図１２】他の実施形態に係る名刺管理システムの制御方法のフローチャートである。
【図１３】他の実施形態に係る記憶部に記憶される記憶テーブルの一例を示す図である。
【発明を実施するための形態】
【００１５】
以下、本発明の実施形態について添付図面を参照して説明する。図１は、本発明の一実施形態に係る名刺管理システムの概略構成図であり、（ａ）は名刺入れの斜視図であり、（ｂ）は携帯端末装置の正面図であり、（ｃ）は携帯端末装置の裏面図である。図１に示すように、この名刺管理システム１は、名刺入れ２及び携帯端末装置３を備えている。
【００１６】
まず、名刺入れ２について説明する。図２は、名刺入れの見開き図である。図２に示すように、名刺入れ２は、表紙１６と、複数の名刺保持部材１０と、複数のコード表示部材１１とを備えており、表紙１６の内側に複数の名刺保持部材１０及びコード表示部材１１が重ねて配置されており、各名刺保持部材１０及び各コード表示部材１１をユーザーがめくることができるように構成されている。
【００１７】
図３は、名刺保持部材の正面図である。図３に示すように、名刺保持部材１０は、矩形の台紙２０と、台紙２０を覆うカバー２１とを備えており、台紙２０とカバー２１とは、各名刺１２を囲む結合部２２において結合されている。また、台紙２０、カバー２１及び結合部２２によって囲まれた空間により名刺収容部２３が形成されており、この名刺収容部２３に名刺１２を収容することができる。また、名刺保持部材１０は、少なくとも１つの名刺１２を保持することができ、本実施形態では、名刺保持部材１０の表側に３枚、裏側に３枚、計６枚の名刺１２を保持することができる。カバー２１は、ユーザーが名刺１２を撮像できるように、透明な材質によって形成されていることが好ましく、台紙２０は、名刺１２の画像情報を取得し易くする観点から、黒色であることが好ましい。また、カバー２１の材質としては、例えば、ポリプロピレンフィルムを用いることができ、添加剤を混合して光の反射を抑えることが好ましい。また、ユーザーは、複数の名刺１２を各名刺１２に記載された名前の頭文字に応じて分類し、分類した名刺１２を名刺保持部材１０に収容することができる。
【００１８】
図４は、コード表示部材の正面図である。図４に示すように、コード表示部材１１は、本実施形態では厚紙から形成されており、重ねられた複数の名刺保持部材１０を仕切るための仕切り部分２５と、仕切り部分２５の一端部に連結したインデックス領域２６とを備えている。また、図２に示すように、コード表示部材１１の幅は名刺保持部材１０の幅より広く、名刺保持部材１０及びコード表示部材１１を重ねて配置したときにインデックス領域２６が名刺保持部材１０の端部より横方向に突出し、ユーザーがこのインデックス領域２６を見ることができるように構成されている。
【００１９】
インデックス領域２６には、インデックスマーカー１４、分類コード１３、および、分類文字１５が付されている。本実施形態では、インデックス領域２６の上下両端部に一対のインデックスマーカー１４，１４が表示されており、一対のインデックスマーカー１４，１４の間に分類コード１３及び分類文字１５が表示されている。
【００２０】
インデックスマーカー１４は、携帯端末装置３によって分類コード１３を認識するときに、認識し易くするために表示された記号であり、このインデックスマーカー１４の形状は特に限定されないが、本実施形態では、斜め上方及び斜め下方を向く三角形の記号を用いている。
【００２１】
また、各コード表示部材１１のインデックス領域２６に付された分類コード１３は、それぞれ、名刺１２を分類するための固有の分類情報を有している。例えば、図２に示す実施形態では、名刺１２を「サ行」のグループに分類するための分類情報「サ」を有する分類コード１３がコード表示部材１１のインデックス領域２６に付されており、このコード表示部材１１に重ねて配置された名刺保持部材１０に保持されている名刺１２を「サ行」のグループに分類することができる。また、図５に示す名刺入れの他の見開き状態では、分類コード１３は、各名刺１２を「ハ行」のグループに分類するための分類情報「ハ」を有している。このような分類コード１３としては、例えば、公知のＱＲコード（登録商標）及びバーコード等を用いることができ、本実施形態ではＱＲコード（登録商標）を用いている。
【００２２】
また、各コード表示部材１１のインデックス領域２６に付された分類文字１５は、上記の分類コード１３が有する分類情報と対応して表示されている。例えば、図２に示す実施形態では、分類コード１３の分類情報「サ」と対応するように、「サ」の分類文字１５が表示されている。
【００２３】
また、各コード表示部材１１に表示された分類コード１３は、複数の名刺保持部材１０及びコード表示部材１１が重ねて配置されたときに、互いに重なるように表示されている。一方、各コード表示部材１１に表示された分類文字１５は、複数の名刺保持部材１０及びコード表示部材１１が重ねて配置されたときに、上下に段階的にずれた状態で表示されている。したがって、名刺入れ２を見開いた状態では、ユーザーから複数の分類文字１５が上下に段階的に見える一方、１種類の分類コード１３しか見えない。例えば、図２に示す実施形態では、ユーザーからは分類情報「サ」を有する分類コード１３しか見えない。
【００２４】
また、本実施形態では、分類コード１３の分類情報、及び、分類文字１５は、日本語であるが、アルファベットによる分類のために、アルファベットにすることもできる。
【００２５】
次に、携帯端末装置３について説明する。図６は、携帯端末装置のブロック図である。図１及び図６に示すように、携帯端末装置３は、装置本体５、撮像部８、表示部４、タッチパネル９、記憶部６および制御部７を備えている。またその他に、携帯端末装置３は、無線通信のためのアンテナ、音声通話のためのマイクやスピーカーなどを備えている（いずれも図示せず）。このような携帯端末装置３としては、特に限定されるものではなく、例えば、スマートフォン、携帯電話機、ＰＤＡなどが挙げられる。
【００２６】
装置本体５としては、公知のスマートフォンの本体を用いることができ、電源スイッチや各種のボタンを備えている。また、撮像部８は、レンズを通して入射する被写体像を撮像する公知の構成であり、このような撮像部８としては、例えば、アナログ電気信号を出力するＣＣＤ（Charge Coupled Device）やＣＭＯＳ（Complementary Metal Oxide Semiconductor）等の撮像素子を含み、レンズを通して入射する被写体像を光電変換し、撮像素子からのアナログ電気信号をデジタル電気信号に変換して画像データを出力するものを用いることができる。
【００２７】
表示部４としては、液晶ディスプレイや有機ＥＬディスプレイ等の公知の表示デバイスを用いることができ、その表示画面上に画像（静止画）や動画を表示することができる。また、タッチパネル９は、ユーザーが表面をタッチしたときにそのタッチ位置を認識可能な公知のタッチパネルであり、表示部４の上に重ねて配置されている。このタッチパネル９としては、抵抗膜方式、表面弾性波方式、電磁誘導方式、静電容量方式等、公知の方式のものを用いることができる。また、このタッチパネル９をユーザーがタッチすることにより、各種の入力をすることができる。例えば、タッチパネル９のタッチにより、撮像部８による撮像、表示部４における表示の指示を入力することができる。
【００２８】
記憶部６は、情報処理のためのプログラム及びデータを記憶する公知のハードディスク又は半導体メモリなどの記憶媒体により構成されている。この記憶部６は、撮像部８により撮像された対象物の画像情報を記憶することができる。画像情報は、例えば、ｊｐｅｇ及びｇｉｆなどのファイル形式により記憶される。また、記憶部６には、情報管理システム１を制御するための制御プログラムが記憶されている。また、記憶部６はその他にも各種の情報を適宜記憶することができる。
【００２９】
制御部７は、プログラム及びデータに基づいて情報処理をする公知のＣＰＵなどのプロセッサにより構成されている。この制御部７は、記憶部６に記憶された名刺管理システムの制御プログラムを実行することにより、上記の各構成要素を制御することができる。名刺管理システムの制御の詳細については、以下に説明する。
【００３０】
次に、上記のような構成を備える名刺管理システムの制御方法について説明する。図７は、名刺管理システムの制御方法のフローチャートである。この制御方法は制御プログラムにより実行される。図７に示すように、本実施形態に係る名刺管理システム１では、制御部７が、少なくとも１つの名刺１２を保持した状態の名刺保持部材１０の画像及び分類コード１３が付されたコード表示部材１１の画像の両者を含む撮像画像情報を取得する（ステップＳ１）。続いて制御部７は、取得した撮像画像情報から分類コード１３を認識して、当該分類コード１３の分類情報を取得すると共に、各名刺１２の名刺画像情報をそれぞれ抽出する（ステップＳ２）。続いて制御部７は、取得した分類情報と、抽出した各名刺画像情報とを関連付けて記憶部６に記憶する（ステップＳ３）。この制御方法について以下により詳細に説明する。
【００３１】
本実施形態に係る名刺管理システムでは、まず、ユーザーが、名刺保持部材１０に少なくとも１つの名刺１２を入れる。例えば、図２に示す実施形態では、３枚の名刺１２が名刺収容部２３に入れられ、名刺保持部材１０に保持されている。このときユーザーは、各名刺１２を、その名刺１２に記載された名前の頭文字に応じて名刺保持部材１０に収容することが好ましい。また、ユーザーは、名刺保持部材１０に重ねて配置されたコード表示部材１１に付されている分類文字１５に応じて各名刺１２を名刺保持部材１０に収容することが好ましい。例えば、図２に示す実施形態では、ユーザーは、「サ行」の頭文字を有する名刺１２を名刺保持部材１０に収容している。また、ユーザーは、この「サ行」の頭文字を有する名刺１２を、「サ」の分類文字１５が付されたコード表示部材１１に重ねて配置されている名刺保持部材１０に収容している。これにより、名刺保持部材１０に保持された名刺１２に記載されている名前の頭文字と、この名刺保持部材１０に重ねて配置されたコード表示部材１１の分類文字１５とを対応させることができる。また、これと同時に、名刺保持部材１０に保持された名刺１２の頭文字と、この名刺保持部材１０に重ねて配置されたコード表示部材１１の分類コード１３が有する分類情報とを対応させることができる。よって、名刺１２の名前の頭文字を、分類文字１５及び分類コード１３の分類情報と対応させることができる。図２に示す実施形態では、名刺１２の名前の頭文字「サ行」、分類文字１５「サ」、及び、分類コード１３の分類情報「サ」が対応するように、名刺保持部材１０に名刺１２が収容されている。また、図５に示す実施形態では、ユーザーは、分類文字１５「ハ」、及び、分類コード１３の分類情報「ハ」に対応するように、「ハ行」の頭文字の名前が記載された名刺１２を名刺保持部材１０に収容している。
【００３２】
次に、名刺１２が名刺保持部材１０に保持された状態で、上記のステップＳ１〜ステップＳ３を行うことができる。図８及び図９は、名刺管理システムの制御方法の詳細なフローチャートである。上記のステップＳ１では、主に以下の処理を行うことができる。まず、図８に示すように、ユーザーが、名刺保持部材１０及びコード表示部材１１を、携帯端末装置３の撮像部８により撮像する（ステップＳ１０１）。より詳細には、ユーザーは、名刺保持部材１０が少なくとも１つの名刺１２を保持した状態で、名刺保持部材１０及びコード表示部材１１の両者を含めて撮像する。本実施形態では、名刺保持部材１０が３つの名刺１２を保持した状態で撮像をしている。これにより、制御部７は、撮像された名刺保持部材１０の画像及びコード表示部材１１の画像の両者を含む撮像画像情報を取得することができる。図１０は、撮像画像情報を示す図である。図１０に示すように、撮像画像情報には、各名刺１２の画像及び分類コード１３の画像が含まれている。また、このときユーザーは、複数の名刺保持部材１０を連続して撮像することもできる。これにより、複数の撮像画像情報を取得してその後の処理を行うことができる。
【００３３】
続いて上記のステップＳ２では、主に以下の処理を行うことができる。図８に示すように、制御部７は、画像処理の必要に応じて、撮像画像情報を縮小する（ステップＳ１０２）。また、制御部７は、画像処理の必要に応じて、撮像画像情報のホワイトバランスを調整する（ステップＳ１０３）。続いて制御部７は、インデックスマーカー１４を検出する（ステップＳ１０４）。より詳細には、制御部７は、撮像画像情報から三角形を抽出し、抽出した三角形がインデックスマーカー１４であるか否かを判断する。また、制御部７は、インデックスマーカー１４を検出できたか否か判断する（ステップＳ１０５）。続いて制御部７は、検出したインデックスマーカー１４に基づいて、インデックス領域２６の画像を透視投影変換により台形補正する（ステップＳ１０６）。なお、台形補正とは、撮像対象物を含む平面の法線方向と撮像方向とが一致せずパースがついた撮像画像を、撮像方向を法線方向に一致させて、パースの無い正面視の画像に変換することを意味する。続いて制御部７は、撮像画像情報から分類コード１３を認識する（ステップＳ１０７）。より詳細には、制御部７は、撮像画像情報において、台形補正されたインデックス領域２６の画像から分類コード１３を認識する。分類コード１３を認識する方法は特に限定されないが、例えば、ＱＲコード（登録商標）を分類コード１３として用いた場合、ＱＲコード（登録商標）のシンボルおよびパターンを認識する公知の方法により分類コード１３を認識することができる。その後制御部７は、分類コード１３を認識できたか否か判断する（ステップＳ１０８）。そして制御部７は、認識した分類コード１３から分類情報を求める（ステップＳ１０９）。これにより制御部７は、分類コード１３に固有の分類情報を取得することができる。例えば、図２に示す実施形態では、制御部７は、分類コード１３の分類情報「サ」を取得することができ、図５に示す実施形態では、分類情報「ハ」を取得することができる。
【００３４】
また、制御部７は、図９に示すように、撮像画像情報をグレースケール化し、続いて、二値化する（ステップＳ１１０）。また、制御部７は、撮像画像情報から全ての矩形を抽出し、抽出した矩形の輪郭線を直線近似する（ステップＳ１１１）。続いて制御部７は、抽出した矩形が名刺１２の矩形であるか否かを判断する（ステップＳ１１２）。この判断は、抽出した矩形の大きさが予め設定した範囲内であるか否かにより行うことができる。また、制御部７は、抽出した矩形が名刺１２の矩形であるときは、矩形の座標を出力サイズに合わせて変換する（ステップＳ１１３）。また、制御部７は、矩形を台形補正し、名刺画像情報とする（ステップＳ１１４）。なお、台形補正とは、撮像対象物を含む平面の法線方向と撮像方向とが一致せずパースがついた撮像画像を、撮像方向を法線方向に一致させて、パースの無い正面視の画像に変換することを意味する。これにより制御部７は、各名刺１２の名刺画像情報を抽出することができる。例えば、図２及び図５に示す実施形態では、それぞれ３つの名刺１２の名刺画像情報を抽出することができる。
【００３５】
続いて上記のステップＳ３では、主に以下の処理を行うことができる。図９に示すように、制御部７は、上記のステップで取得した分類情報及び抽出した名刺画像情報を対応させて記憶部６の記憶テーブルに登録する（ステップＳ１１５）。図１１は、記憶部に記憶される記憶テーブルの一例を示す図である。図１１に示すように、制御部７は、分類情報と、それに対応する少なくとも１つの名刺画像情報とを記憶テーブルに登録する。例えば、図２及び図５に示す実施形態では、それぞれ、分類情報「サ」又は「ハ」を取得すると共に、３つの名刺１２の名刺画像情報を抽出するので、制御部７は、これらの分類情報及び名刺画像情報を対応させて記憶テーブルに登録する。これにより、分類コード１３の分類情報と、名刺１２の名刺画像情報とを関連付けて記憶部６に記憶することができる。
【００３６】
また、名刺画像情報を表示部４に表示するときは、ユーザーが、タッチパネル９により分類情報を入力する。そうすると、制御部７は、入力された分類情報を検索キーとして、この分類情報に関連付いている名刺画像情報を記憶部６から抽出し、抽出した名刺画像情報を表示部４に表示する。例えば、図１１に示す実施形態では、ユーザーが、分類情報「サ」を入力すると、制御部７は、この分類情報「サ」と関連付けて登録されている名刺画像情報ａ１，ａ２，ａ３を記憶部６から抽出して表示部４に表示する。これにより、サ行のクループに分類されている名刺１２の名刺画像情報を表示部４に表示することができる。また、１つの分類情報に関連付く名刺画像情報が複数存在するときは、制御部７は、複数の名刺画像情報をサムネイル形式で表示部４に表示することができる。
【００３７】
以上のような構成を備える名刺管理システムによれば、名刺保持部材１０及びコード表示部材１１を含む撮像画像情報を取得し、撮像画像情報から分類コード１３の分類情報を取得すると共に、名刺１２の名刺画像情報を抽出し、分類情報と名刺画像情報とを関連付けて記憶部６に登録することにより、複数の名刺画像情報を迅速かつ容易に記憶部６に登録することができる。また、名刺画像情報を分類情報と関連付けて登録するので、名刺画像情報を正確に管理することができる。また、名刺画像情報と共に分類情報も取得するので、名刺画像情報の管理を迅速にすることができる。よって、本発明によれば、正確な名刺の管理を迅速かつ容易に行うことができる。
【００３８】
以上、本発明の一実施形態について説明したが、本発明の具体的な態様は、上記実施形態に限定されるものではない。例えば、他の実施形態に係る名刺管理システム１では、制御部７は、各名刺画像情報から各名刺１２の特徴を示す特徴情報をそれぞれ取得することができる。また、制御部７は、新たに抽出した名刺画像情報から取得した特徴情報と、記憶部６に既に記憶されている名刺画像情報から取得した特徴情報とが重複するときは、新たに抽出した名刺画像情報を分類情報と関連付けて記憶しないような制御を行うこともできる。
【００３９】
上記の特徴情報としては、特に限定されるものではないが、例えば、名刺１２に記載されている名前、名刺１２の色、名刺１２の全体構成、又はこれらの組み合わせを用いることができる。一例として、名刺１２に記載されている名前を特徴情報として用いた場合を以下に説明する。
【００４０】
図１２は、他の実施形態に係る名刺管理システムの制御方法の一例を示すフローチャートである。他の実施形態では、制御部７は、上記ステップＳ２において抽出した各名刺１２の名刺画像情報から、各名刺１２に記載されている名前を認識する。名前の認識は、例えば、印刷又は手書きの文字を光学的に識別して電気信号に変換する公知の光学文字認識（ＯＣＲ：Optical Character Recognition）により行うことができる。これにより制御部７は、図１３に示すように、各名刺１２に記載されている名前を特徴情報として取得することができる（ステップＳ２１）。
【００４１】
また、制御部７は、取得した特徴情報（名前）が記憶部６の記憶テーブルに登録されていないときは、この特徴情報（名前）を記憶テーブルに登録することができる。このとき制御部７は、この特徴情報と、上記ステップＳ２において取得した分類情報及び抽出した名刺画像情報とを関連付けて記憶テーブルに記憶することができる（ステップＳ２２）。
【００４２】
更に、制御部７は、上記ステップＳ２において新たに名刺１２の名刺画像情報を抽出すると、この新たな名刺画像情報から特徴情報（名前）を取得し、この新たに取得した特徴情報（名前）と、記憶部６の記憶テーブルに既に登録されている特徴情報（名前）とを図１３に示すように対比することができる（ステップＳ２３）。そして制御部７は、対比した特徴情報が互いに重複しているときは、新たに抽出した名刺画像情報を分類情報と関連付けずに、この新たな名刺画像情報を削除することができる。例えば、図１３に示す実施形態では、新たに抽出した名刺画像情報ａ７から取得した特徴情報（名前）ｘ１と、既に記憶されている名刺画像情報ａ１から取得した特徴情報（名前）ｘ１とが重複しているので、制御部７は、新たに抽出した名刺画像情報ａ７を分類情報サと関連付けずに、この新たな名刺画像情報ａ７を削除することができる（ステップＳ２４）。
あるいは、制御部７は、新たに取得した特徴情報（名前）と、記憶部６の記憶テーブルに既に登録されている特徴情報（名前）とを図１３に示すように対比し、対比した特徴情報が互いに重複しているときは、新たに抽出した名刺画像情報を、既に登録されている名刺画像情報に上書きして保存することもできる。例えば、図１３に示す実施形態では、新たに抽出した名刺画像情報ａ７を既に記憶されている名刺画像情報ａ１に上書きして保存することができる。また、新たな情報と、既に記憶されている情報とを、併せて保存することもできる。例えば、図１３に示す実施形態では、新たに抽出した名刺画像情報ａ７と、既に記憶されている名刺画像情報ａ１とを併せて保存することができる。なお、名刺画像情報を分類情報とは無関係に他の記憶領域に記憶することもできる。
【００４３】
このような構成によれば、特徴情報を対比することにより、複数の名刺１２の名刺画像情報を適切に管理することができる。例えば、特徴情報が互いに重複する名刺画像情報を削除したり、上書き保存したり、又は、併せて保存することにより、適切な管理をすることができる。本発明の名刺管理システム１では、ユーザーが複数の名刺１２を一度に撮像することができるので、同じ名刺１２を重複して撮像してしまうことがあるが、上記のような構成によれば、ユーザーが同じ名刺１２を重複して撮像したとしても、重複する名刺１２の名刺画像情報を適切に管理することができる。
【００４４】
また、更に他の実施形態に係る名刺管理システム１では、制御部７は、上記ステップＳ２において抽出した各名刺１２の名刺画像情報を回転させることができる。例えば、ユーザーが名刺保持部材１０を撮像するときに、図２に示す状態から名刺保持部材１０を右に９０°回転させた状態で撮像すると、名刺１２の名刺画像情報は右に９０°回転した状態で抽出される。この場合、制御部７は、抽出した各名刺１２の名刺画像情報を左に９０°回転させることができる。これにより、名刺１２の名刺画像情報を正しい向きに直すことができる。より詳細には、制御部７は、各名刺１２の名刺画像情報を解析し、名刺１２の縦横を判定する。判定の結果、名刺１２の縦横が正しい向きでないときは、名刺１２の名刺画像情報を回転させる。名刺１２の縦横の判定は、例えば、名刺１２に記載されている名前、会社名、住所、又は、電話番号等をＯＣＲにより認識してデータ化し、記憶部６に保存されている名刺に関する情報の縦方向及び横方向の文字列パターンと照合して縦横を判定することができる。このような構成によれば、複数の名刺１２の名刺画像情報をまとめて正しい向きに直すことができるので、名刺１２の管理を迅速に行うことができる。またこのような構成は、複数の名刺１２を一度に撮像する本発明にとって特に有効である。
【符号の説明】
【００４５】
１    名刺管理システム
２    名刺入れ
３    携帯端末装置
４    表示部
５    入力部
６    記憶部
７    制御部
８    撮像部
９    タッチパネル
１０    名刺保持部材
１１    コード表示部材
１２    名刺
１３    分類コード
１４    マーカー
１５    分類文字
１６    表紙
２０    台紙
２１    カバー
２２    結合部
２３    名刺収容部
２５    仕切り部分
２６    インデックス領域
【図１】
2014002439.tif 000003
【図６】
2014002439.tif 000004
【図７】
2014002439.tif 000005
【図８】
2014002439.tif 000006
【図９】
2014002439.tif 000007
【図１１】
2014002439.tif 000008
【図１２】
2014002439.tif 000009
【図２】
2014002439.tif 000010
【図３】
2014002439.tif 000011
【図４】
2014002439.tif 000012
【図５】
2014002439.tif 000013
【図１０】
2014002439.tif 000014
【図１３】
2014002439.tif 000015